【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
端末と通信する基地局であって、
所定のリソースブロックペアに対応するリソースブロックセットに含まれる１つ以上の拡張制御チャネルエレメントを用いて、局所送信または分散送信により拡張制御チャネルを送信する送信部を備え、
前記リソースブロックペアは、所定数の拡張リソースエレメントグループを含み、
前記リソースブロックペアにおいて、復調用参照信号が配置されたリソースエレメントを除いたリソースエレメントのそれぞれに番号が付与され、
前記所定の数の拡張リソースエレメントグループの各々は、前記リソースブロックペアの各々において同じ番号が付与されたリソースエレメントから構成され、
前記拡張制御チャネルエレメントは、複数の前記リソースエレメントグループから構成され、
前記局所送信の場合、前記拡張制御チャネルエレメントは、１つの前記リソースブロックペアにおける複数の前記拡張リソースエレメントグループに対応し、
前記分散送信の場合、前記拡張制御チャネルエレメントは、複数の前記リソースブロックペアにおける複数の前記拡張リソースエレメントグループに対応し、
前記局所送信の場合の前記拡張制御チャネルエレメントである、或る一つの拡張制御チャネルエレメントは、第１の番号から第４の番号の拡張リソースエレメントグループに対応し、
前記分散送信の場合の前記拡張制御チャネルエレメントである、或る一つの拡張制御チャネルエレメントは、前記第１の番号から前記第４の番号の拡張リソースエレメントグループに対応する、ことを特徴とする基地局。
【請求項２】
基地局と通信する端末であって、
所定のリソースブロックペアに対応するリソースブロックセットに含まれる１つ以上の拡張制御チャネルエレメントを用いて、局所送信または分散送信により送信された拡張制御チャネルを受信する受信部を備え、
前記リソースブロックペアは、所定数の拡張リソースエレメントグループを含み、
前記リソースブロックペアにおいて、復調用参照信号が配置されたリソースエレメントを除いたリソースエレメントのそれぞれに番号が付与され、
前記所定の数の拡張リソースエレメントグループの各々は、前記リソースブロックペアの各々において同じ番号が付与されたリソースエレメントから構成され、
前記拡張制御チャネルエレメントは、複数の前記リソースエレメントグループから構成され、
前記局所送信の場合、前記拡張制御チャネルエレメントは、１つの前記リソースブロックペアにおける複数の前記拡張リソースエレメントグループに対応し、
前記分散送信の場合、前記拡張制御チャネルエレメントは、複数の前記リソースブロックペアにおける複数の前記拡張リソースエレメントグループに対応し、
前記局所送信の場合の前記拡張制御チャネルエレメントである、或る一つの拡張制御チャネルエレメントは、第１の番号から第４の番号の拡張リソースエレメントグループに対応し、
前記分散送信の場合の前記拡張制御チャネルエレメントである、或る一つの拡張制御チャネルエレメントは、前記第１の番号から前記第４の番号の拡張リソースエレメントグループに対応する、ことを特徴とする端末。
【請求項３】
端末と通信する基地局における通信方法であって、
所定のリソースブロックペアに対応するリソースブロックセットに含まれる１つ以上の拡張制御チャネルエレメントを用いて、局所送信または分散送信により拡張制御チャネルを送信するステップを有し、
前記リソースブロックペアは、所定数の拡張リソースエレメントグループを含み、
前記リソースブロックペアにおいて、復調用参照信号が配置されたリソースエレメントを除いたリソースエレメントのそれぞれに番号が付与され、
前記所定の数の拡張リソースエレメントグループの各々は、前記リソースブロックペアの各々において同じ番号が付与されたリソースエレメントから構成され、
前記拡張制御チャネルエレメントは、複数の前記リソースエレメントグループから構成され、
前記局所送信の場合、前記拡張制御チャネルエレメントは、１つの前記リソースブロックペアにおける複数の前記拡張リソースエレメントグループに対応し、
前記分散送信の場合、前記拡張制御チャネルエレメントは、複数の前記リソースブロックペアにおける複数の前記拡張リソースエレメントグループに対応し、
前記局所送信の場合の前記拡張制御チャネルエレメントである、或る一つの拡張制御チャネルエレメントは、第１の番号から第４の番号の拡張リソースエレメントグループに対応し、
前記分散送信の場合の前記拡張制御チャネルエレメントである、或る一つの拡張制御チャネルエレメントは、前記第１の番号から前記第４の番号の拡張リソースエレメントグループに対応する、ことを特徴とする通信方法。
【請求項４】
基地局と通信する端末における通信方法であって、
所定のリソースブロックペアに対応するリソースブロックセットに含まれる１つ以上の拡張制御チャネルエレメントを用いて、局所送信または分散送信により送信された拡張制御チャネルを受信するステップを有し、
前記リソースブロックペアは、所定数の拡張リソースエレメントグループを含み、
前記リソースブロックペアにおいて、復調用参照信号が配置されたリソースエレメントを除いたリソースエレメントのそれぞれに番号が付与され、
前記所定の数の拡張リソースエレメントグループの各々は、前記リソースブロックペアの各々において同じ番号が付与されたリソースエレメントから構成され、
前記拡張制御チャネルエレメントは、複数の前記リソースエレメントグループから構成され、
前記局所送信の場合、前記拡張制御チャネルエレメントは、１つの前記リソースブロックペアにおける複数の前記拡張リソースエレメントグループに対応し、
前記分散送信の場合、前記拡張制御チャネルエレメントは、複数の前記リソースブロックペアにおける複数の前記拡張リソースエレメントグループに対応し、
前記局所送信の場合の前記拡張制御チャネルエレメントである、或る一つの拡張制御チャネルエレメントは、第１の番号から第４の番号の拡張リソースエレメントグループに対応し、
前記分散送信の場合の前記拡張制御チャネルエレメントである、或る一つの拡張制御チャネルエレメントは、前記第１の番号から前記第４の番号の拡張リソースエレメントグループに対応する、ことを特徴とする通信方法。
【請求項５】
端末と通信する基地局に実装される集積回路であって、
所定のリソースブロックペアに対応するリソースブロックセットに含まれる１つ以上の拡張制御チャネルエレメントを用いて、局所送信または分散送信により拡張制御チャネルを送信するように構成された送信部を備え、
前記リソースブロックペアは、所定数の拡張リソースエレメントグループを含み、
前記リソースブロックペアにおいて、復調用参照信号が配置されたリソースエレメントを除いたリソースエレメントのそれぞれに番号が付与され、
前記所定の数の拡張リソースエレメントグループの各々は、前記リソースブロックペアの各々において同じ番号が付与されたリソースエレメントから構成され、
前記拡張制御チャネルエレメントは、複数の前記リソースエレメントグループから構成され、
前記局所送信の場合、前記拡張制御チャネルエレメントは、１つの前記リソースブロックペアにおける複数の前記拡張リソースエレメントグループに対応し、
前記分散送信の場合、前記拡張制御チャネルエレメントは、複数の前記リソースブロックペアにおける複数の前記拡張リソースエレメントグループに対応し、
前記局所送信の場合の前記拡張制御チャネルエレメントである、或る一つの拡張制御チャネルエレメントは、第１の番号から第４の番号の拡張リソースエレメントグループに対応し、
前記分散送信の場合の前記拡張制御チャネルエレメントである、或る一つの拡張制御チャネルエレメントは、前記第１の番号から前記第４の番号の拡張リソースエレメントグループに対応する、ことを特徴とする集積回路。
【請求項６】
基地局と通信する端末に実装される集積回路であって、
所定のリソースブロックペアに対応するリソースブロックセットに含まれる１つ以上の拡張制御チャネルエレメントを用いて、局所送信または分散送信により送信された拡張制御チャネルを受信するように構成された受信部を備え、
前記リソースブロックペアは、所定数の拡張リソースエレメントグループを含み、
前記リソースブロックペアにおいて、復調用参照信号が配置されたリソースエレメントを除いたリソースエレメントのそれぞれに番号が付与され、
前記所定の数の拡張リソースエレメントグループの各々は、前記リソースブロックペアの各々において同じ番号が付与されたリソースエレメントから構成され、
前記拡張制御チャネルエレメントは、複数の前記リソースエレメントグループから構成され、
前記局所送信の場合、前記拡張制御チャネルエレメントは、１つの前記リソースブロックペアにおける複数の前記拡張リソースエレメントグループに対応し、
前記分散送信の場合、前記拡張制御チャネルエレメントは、複数の前記リソースブロックペアにおける複数の前記拡張リソースエレメントグループに対応し、
前記局所送信の場合の前記拡張制御チャネルエレメントである、或る一つの拡張制御チャネルエレメントは、第１の番号から第４の番号の拡張リソースエレメントグループに対応し、
前記分散送信の場合の前記拡張制御チャネルエレメントである、或る一つの拡張制御チャネルエレメントは、前記第１の番号から前記第４の番号の拡張リソースエレメントグループに対応する、ことを特徴とする集積回路。
【手続補正２】
【補正対象書類名】明細書
【補正対象項目名】発明の名称
【補正方法】変更
【補正の内容】
【発明の名称】基地局、端末、通信方法および集積回路
【手続補正３】
【補正対象書類名】明細書
【補正対象項目名】０００１
【補正方法】変更
【補正の内容】
【０００１】
本発明は、基地局、端末、通信方法および集積回路に関する。
【手続補正４】
【補正対象書類名】明細書
【補正対象項目名】００１１
【補正方法】変更
【補正の内容】
【００１１】
本発明は、上記問題を鑑みてなされたものであり、その目的は、基地局と端末が通信する通信システムにおいて、基地局が端末に対する制御情報を効率的に通知することができる基地局、端末、通信方法および集積回路を提供することにある。